(57)【要約】【課題】災害時やアウトドアなどで緊急かつ絶対に必要なものにトイレ問題がある。非常用トイレの配置等が進む中、身体的弱者への配慮が少ない面があった。中でも、安全性が高く携行可能な組立式で、十分な強度を有する手すり付き便座椅子を提供する事が求められていた。【解決手段】本発明は、基底部、二つの手すり部、便座受け部、便座部を組立てることで、安全で十分な強度を持つ便座椅子を確保できる。具体的には基底部に二つの手すり部を嵌合後、便座受け部を接合し、この便座受け部に便座部の便座を接合し、便座部の保持板で便座を支持する事で課題を解決できる。【選択図】図６
2013230331.tif 000002
【特許請求の範囲】
【請求項１】
基底部、便座部、便座受け部、二つの手すり部を組立てて成る事を特徴とする組立式便座椅子。
【請求項２】
請求項１記載の組立式便座椅子で、二つの手すり部は基底部に嵌合させ、二つの手すり部を便座受け部で係止する事を特徴とする組立式便座。
【請求項３】
前記、請求項１又は２記載の組立式便座椅子で、便座部を支持固定するため、座板にほぼ垂直に支持板を接合する事を特徴とする組立式便座椅子。
【請求項４】
前記、請求項１、２又は３記載の組立式便座椅子で、便座部は座板を便座受け部に、支持板を基底部に接続してなる事を特徴とする組立式便座椅子。
【発明の詳細な説明】
【技術分野】
【０００１】本発明は組立式便座椅子に関する。
【背景技術】
【０００２】災害等の非常時のために非常用品の備蓄は大事なことである。東日本大震災以降、防災用品の備蓄が叫ばれて関心が高まってきている。しかし、非常用品や道具は多岐にわたり、緊急時の避難場所に倉庫を確保して資材や、道具を備蓄しなければならない。予算や倉庫の確保等、様々な困難があって一挙に備蓄を進めることが出来ない実態がある。いつ発生するか予測することはできないが、地震国のわが国では確実に起きるといわれる大地震をはじめとする自然災害に対して潜在的な恐怖を抱きながら過ごしている。できれば、生活の場に近い所で、避難場所に非常用品の確保を目指す時、トイレの問題が最大の心配事である。その中でも、身体的弱者に配慮したトイレ問題への対応が急がれる課題である。【０００３】歩行困難な老人や障害者が使用するいわゆるポータブルトイレは、重量が重く嵩が張り保管や異動に不便であった。【０００４】近年、アウトドア用や非常用として組立便座などがあるが、強度が脆弱で手すりがない等の為に身体的弱者にとっては危険を伴うものである。従って、非常時に強度が十分にあり、手すりを保持した上で安全性が高く、組立式の便座椅子の提供が望まれていた。
【先行技術文献】
【０００５】
【特許文献１】特開２００６−２７１５２２
【特許文献２】特開２００２−１０９５０  ［特開２００５−２７９１２３］
【発明の概要】
【発明が解決しようとしている課題】
【０００６】地震などの非常時に備えて水や食料、トイレ、ロープ、テントなどの非常用具を公の場所に備蓄するが、殆どが広域避難場所の備蓄倉庫である。それでも備蓄しているといえど十分と言える量の確保は難しく、非常時には避難場所に辿り着けるかどうかもわからない。
そこで、広範囲に非常用品を配備して、生活に密着した場に備えるようになってきた。ところが、非常用品中の非常用トイレ便器の確保は、保管場所や使い勝手の点等で高齢者や身体障害者等が使用するような配慮がされていない。従って、身体的弱者が使用するには困難が伴い、安全に使用できる非常用便座椅子の提供が切望されていた。
【課題を解決するための手段】
【０００７】上記の課題を解決すべく本発明者らは鋭意検討した結果、上記の課題は次のような手段によって解決することがわかった。
即ち、非常用品を配備して災害時に備えるが、非常用品は健常者を対象にしたものが殆どである。高い位置に収納スペースを配置してあったり、中でも非常用トイレは身体的弱者に配慮がされた物が少ない。非常用トイレではまず安全の確保である。その上で、保管スペースが小さくてすみ、軽量で持ち運びに便利で身体的弱者がトイレを安心して使えるように工夫を施した。つまり、手すり付きの洋式便座椅子で、携帯トイレが設置できる軽量で丈夫な便座椅子を提供する事である。強度と剛性を有し、簡単に組み立てられ、保管スペースが少なくて、運搬にも便利な手すり付き便座椅子を提供する事である。
【発明の効果】
【０００８】本発明は地震などに備えた非常用トイレの使用に際し、大きな安心を提供できるようになった。通常、避難場所等の備蓄庫に非常用品は存在するが、その中のトイレについては改善が進んではいるが、身体的弱者に配慮したものは少なかった。本発明は、高齢者、身体的弱者、特に車椅子を使用する人がトイレを使用できるようにした事で、非常時に大きな安心を与える事が出来た。又、本発明は簡便で安全性に配慮した非常用トイレを提供するもので、健常者が使用しても快適であるので、非常時やアウトドア用での使用にも安心を与えることに寄与できるものである。
【図面の簡単な説明】
【０００９】
【図１】基底部部材の見取り図
【図２】手すり部の見取り図
【図３】便座受け部の見取り図
【図４】便座部の見取り図
【図５】基底部を組んだ後、便座受け部を組み付ける見取り図
【図６】全部材を組み立てた見取り図
【発明を実施するための形態】
【００１０】  本発明は、健常者も身体的弱者も安全で使い易い組立式便座椅子の提供である。非常時に車椅子で用便に来ても、平時とそれほど変わらない使い勝手を目指して実現したものである。基底部、手すり部、便座受け部、便座部で構成するが、四つの部材を組み立てることで十分な強度を持つ手すり付き便座椅子が完成する。各部は木製や金属製或いは樹脂製等強度と剛性を持つ材質で構成する。
最終的な形態は図６である。
【実施例１】
【００１１】以下、本発明を図面を用いて詳細に説明する。
図１は本発明の組立式便座椅子の基底部の部材である。部材１と部材２を平行に並べ、部材凹部１−５に基底渡し部材３を嵌合する。次いで、図２の手すり部材５の底部のピン５−２を基底部の孔２−１に、ピン５−１を孔１−１に挿入して基底部に手すり部を立てる。この時、基底部に配したガイド１−３，２−３を有す事で、手すり部が安定する。同様にガイド１−４，２−４を利用し、基底部の孔２−２と１−２に手すり部材５の底部のピン５−２と５−１に挿入して基底部に手すり部５を立てると、図５の様な基底部の両脇に手すり部が立つ。【００１２】基底部に立つ二つの手すり部に設置した４本の便座受け雄ピン５−３に、図３の便座受け部材６の留め金６−１と６−２を嵌めこむ。該便座受け部材６で二つの手すり部材５を接続する事で頑丈な躯体が完成する態様である。【００１３】図３は便座受け部６の見取り図である。該便座受け部の凸部６−３に便座部７の切り欠き７−３を嵌合し、便座７−１と折り曲げ自在な蝶番７−４で接続する便座保持板７−２の保持板止め部７−５を基底部材２に設けた保持板挿入枠２−６に挿入する事で組み上げが出来る。
更に、安全ピン４を保持板挿入枠に設けたピン用孔２−７に差して保持板に設けた孔７−６を通すことで、トイレ使用時の安全を大きなものにする態様である。【００１４】このトイレは、便座部２の座面高さを車椅子の座面高さとほぼ合わせてある。まず車椅子の座面と便座面７−１の高さがほぼ同じであるため、車椅子で接岸して手すりを使用して体を方向転換することで用を足せる。左右に手すりを配置することで、より使いやすい態様である。【００１５】８つのパーツを木製で製作した時の総重量が６．２ｋｇと軽量であった。パーツの組み立ては色による組み合わせ表示をすることで３〜５分で組立が完了した。この様に、安全で使用勝手の良い便座椅子を簡易に確保できる。この便座椅子の便座穴７−７に便袋を設置すれば非常時やアウトドア等でのトイレ確保に大きく寄与する。
【産業上の利用可能性】
【００１６】アウトドア等の平時は勿論、非常時のトイレの確保が重要である事は認識されているが、安全、簡便で量の確保も必要である。且つ、老齢者や障害者等の弱者に配慮した非常用トイレは切望されていただけに、様々な場所に本発明品を設置する事で非常時の安心を確保できる。また、健常者と身体的弱者の笑顔での共存に役立つものである。
【符号の説明】
【００１７】１、１２          ：基底部
１−１、２−１    ：基底部孔
１−２、２−２    ：基底部孔
１−３、２−３    ：ガイド
１−４、２−４    ：ガイド
１−５、２−５    ：部材凹部
２−６            ：保持板挿入枠
２−７            ：ピン用孔
３                ：基底渡し部材
４                ：ピン
５                ：手すり部
５−１            ：底部ピン
５−２            ：底部ピン
５−３            ：便座受け雄ピン
６                ：便座受け部
６−１            ：便座受け部止め具
６−２            ：便座受け部止め具
６−３            ：便座受け凸部
７                ：便座部
７−１            ：座部面
７−２            ：保持板
７−３            ：便座部切り欠き
７−４            ：蝶番
７−５            ：保持板止め部
７−６            ：保持板の孔
７−７            ：便座穴
【図１】
2013230331.tif 000003
【図２】
2013230331.tif 000004
【図３】
2013230331.tif 000005
【図４】
2013230331.tif 000006
【図５】
2013230331.tif 000007
【図６】
2013230331.tif 000008